Podtech/llm-jp-corpus-v4-ja_patent huggingface dataset:
(57)【要約】      （修正有）【課題】熱交換効率の高い湯沸し器具を提供すること。【解決手段】底面を連段状に折り曲げ加工して中心部が低く外周部が高くなるようにして底面の面積を増大させ、円形の容器の場合その外周部から末広がりの円筒状に容器外周部を下へおろすことによって、火炎が滞留するためのスペースが作られることになり、更にこの外周の末広がりの円筒の上の方に火焔逃がし用の穴を幾つか明ける事で対流部分に煙突効果が生じて新しい火焔が連続して供給され、熱交換機能に一番関係のある容器底面を効果的に加熱する。【選択図】図１
2005296188.tif 000002
【特許請求の範囲】
【請求項１】
底面を連段状に折り曲げ加工して中心部が低く外周部が高くなるようにしてあり。そこから末広がりに下へ外周の壁をおろすことによって、火焔が滞留するためのスペースをつくり、末広がりの形状により多くの火焔を取り込める様にした湯沸し器具。
【請求項２】
外周の末広がりの壁の上の方に火焔逃がし用の穴を幾つか明ける事によって、滞留用のスペースに煙突効果を与え、火焔が横に走って底面から外へ出て無駄に上方拡散しないようにした湯沸し器具。
【発明の詳細な説明】
【技術分野】
【０００１】
本発明は、熱交換効率を良くした湯沸し容器等に関するものである。
【背景技術】
【０００２】
これまで、やかん底面中央部の一部を凹ませて熱交換接触面積を増してある工夫や、やかん底面を波型に成型したものや、容器体内部を通る煙突状の火焔通路をもうけたり、容器内部底面に突起物をつけて熱交換効率を上げるようにした物が既に出願されている。
【特許文献１】特開２００２−１２５８５２号、実公平０５−０６３４２３、特開平０６−０２２８４４、特開平０８−２５２１７３、登実３０１７８６３、登実３０７６０００
【発明の開示】
【発明が解決しようとする課題】
【０００３】
解決しようとする問題点は、直接熱交換する部分の面積が十分に多くなく、さらに熱源が容器底面から外れて一過的に上方拡散しないような工夫がされていなかったり、それらしい工夫があるものは容器の製造コストの問題や、容器内部に仕掛けがあるため単純に湯を沸かして注ぎ出す用途にのみにしか利用できない事があった
【課題を解決するための手段】
【０００４】
熱交換の機能を果たす重要な加熱面の面積を増すのが熱効率を高めるのに効果的であるため  底面２を連段状に折り曲げ加工する事で実質面積を増すことが出来る。また中心部が低く外周部が高くしてある事から、そこから末広がりに下へ外周の壁３をおろすことによって、火焔が滞留するためのスペース４を作り、更に壁３の上の方に火焔逃がし用の穴５を幾つか明ける事によって、滞留用のスペース４に参考線６のような煙突効果や滞留効果を与え、火焔が横に走って参考線７のように底面からすぐに外へ出て無駄に上方拡散しないようにしたものである。
【発明の効果】
【０００５】
湯沸し容器で大切な熱交換の機能を果たす底面部2の面積を通常のものと比べ本発明のものは、少なくとも３倍以上の広さになる様に成型する事で、熱交換効率の向上を得る事ができる。因みに通常の円形容器の底、図８の場合の半径をLとすると、この発明の半径は図９に示されるように連段している一つ一つを加えると２Lとなりπｒ2乗の計算から面積は4倍になっている。かつ下からの火焔を一過的に外に逃がさず容器底面部４に効果的に滞留させることにより更に熱効率を上げることが可能となりエネルギーの消費をずいぶん押えることができる。この事は、やかん  ケットル等  単に湯を沸かす用途以外に液体の温度を上げる他の調理器具で固形物が混入する鍋などにも大いに利用できるものである。
【発明を実施するための最良の形態】
【０００６】
底面２を連段状に折り曲げ加工して中心部が低く外周部が高くなるようにし、円形の容器の場合そこから末広がりの円筒状に容器外周部３
を下へおろすことによって、火焔が滞留するためのスペース４を作り、更にこの外周３の末広がりの円筒の上の方に火焔逃がし用の穴５を幾つか明ける。
【実施例１】
【０００７】
湯沸容器の下からの火焔は勾配のある容器底面部２と末広がりの円筒部３によって作られたスペース４に滞留する。その滞留した火焔はさらに火焔逃がし用の穴５から一部が出て行くことによってこのスペース４に参考線６のように煙突効果や滞留効果を生じる。そのためここに火焔が充分に供給され、参考線７のような火焔の無駄な逃げ出しを無くす事が出来た。この事は連段の形状にしたことで熱交換面積が格段に広くなった容器底面部２を効果的に加熱することができる
【産業上の利用可能性】
【０００８】
家庭用であれ営業用であれ液体の温度を上げる用途に使う容器全般にこの発明を応用してエネルギーの節約に貢献できる。
【図面の簡単な説明】
【０００９】
【図１】湯沸し容器の断面図である。
【図２】湯沸し容器の外見図である。
【図３】湯沸し容器の見下ろし図である。
【図４】容器の底の面積比較図である。
【符号の説明】
【００１０】
１    湯沸し容器
２    底面の連段形状図
３    円筒状の末広がり壁ブブン
４  火焔滞留スペース
５    火焔逃がし穴
６    火焔の流れを示す参考線
７    効率の悪い火焔の流れを示す参考線
８  普通の湯沸し容器の底面積
９  本発明の容器の底面積
【図１】
2005296188.tif 000003
【図２】
2005296188.tif 000004
【図３】
2005296188.tif 000005
【図４】
2005296188.tif 000006
(57)【要約】      （修正有）【課題】美観を損ねたり、家具、壁等に穴を開けることのない家具等の耐震器具を提供する。【解決手段】耐震器具(上板と下板の間にボール３を挟み、その２枚の板の外側にはゴム５を貼る。又、上板、下板には、それぞれ、ボール３が上下の板から外れないよう仕切り１、２を設け、上板、下板の中心をゴム、ばね等４の伸縮性のあるもので連結したもの)を家具等の下に置く。【選択図】図２
2005296594.tif 000002
【特許請求の範囲】
【請求項１】
本発明は、上板〔図３〕と下板〔図４〕の間にボール３を挟んだものである。その２枚の板の外側にはゴム５を貼る。上板〔図３〕下板〔図４〕には、それぞれ、ボール３が上下の板から外れないよう仕切り１、２を設ける。又、上板〔図３〕下板〔図４〕の中心をゴム、ばね等４の伸縮性のあるもので連結する。この板を床に置き、その上に物を乗せることで、その、上に乗せた物への地震等による横揺れの影響を軽減する。
【発明の詳細な説明】
【技術分野】
【０００１】本発明は耐震のためにかぐ等の下に設置する器具である。
【背景技術】
【０００２】家具等の耐震器具というと、突っ張り棒のような物や、金物又はチェーンで家具と壁をつないで止めるといったものが主である。【０００３】又、台の上に家具を乗せるものもあり、その台が免震構造を成すというものであるが、本発明は構造が単純であるため、非常にコンパクトにすることができ、家具の大きさ形に関わらずこの器具を数個設置すれば役目をなす。
【発明の開示】
【発明が解決しようとする課題】
【０００４】従来、一般的な家具の耐震器具というと、突っ張り棒のようなものや、金物又はチェーンで家具と壁を固定する、といったものが主である。そのため見た目があまり良くないことや、家具や壁に穴をあけなくてはならないことがよくある。
【課題を解決するための手段】
【０００５】本発明による上記課題の解決手段は、以下に述べる器具による。上板〔図３〕と下板〔図４〕の間にボール３を挟んだものであり、その２枚の板の外側にはゴム５を貼る。上板〔図３〕下板〔図４〕には、それぞれ、ボール３が上下の板から外れないよう仕切り１、２を設ける。又、上板〔図３〕下板〔図４〕の中心をゴム、ばね等４の伸縮性のあるもので連結する。以上を特徴とする。
【発明の効果】
【０００６】上板と下板とはその挟んだボールによって自由にずれることができ、上板下板の中心を連結するゴム、ばね等伸縮性のある材料によって、ずれた後でも常に元の位置に戻ろうとする。この器具を家具等の下に設置することで、地震等による横揺れの家具等への伝達を軽減する。【０００７】本発明は見た目も従来の器具と比べて気にならなく、家具等の美観を損ねることがない。又、家具壁等に穴をあけることも必要としない。
【発明を実施するための最良の形態】
【０００８】上板〔図３〕と下板〔図４〕の間にボール３を挟んだものであり、その２枚の板の外側にはゴム５を貼る。上板〔図３〕下板〔図４〕には、それぞれ、ボール３が上下の板から外れないよう仕切り１、２を設ける。又、上板〔図３〕下板〔図４〕の中心をゴム、ばね等４の伸縮性のあるもので連結する。
【実施例】
【０００９】本発明の板を仮に円形とし、その直径を１０ｃｍ、厚みを１ｃｍとする。この器具を家具の下（家具の四隅）に４つ設置する。
【産業上の利用可能性】
【００１０】本発明は器具の構造が単純であるため小さなものとなり、又それで十分に用を成すものと思う。そのため安いコストで製造が可能である。又、従来の耐震器具のように美観を損ねたり穴をあけたりする必要はなく、家具等の価値を下げることもない。
【図面の簡単な説明】
【図１】側面から見た図
【図２】下から見た上板
【図３】上から見た下板
【図４】斜視図
【符号の説明】
１上板の仕切り
２下板の仕切り
３ボール
４ゴム、ばね等の伸縮する連結材
５ゴム
【図１】
2005296594.tif 000003
【図２】
2005296594.tif 000004
【図３】
2005296594.tif 000005
【手続補正書】
【提出日】平成16年7月19日(2004.7.19)
【手続補正１】
【補正対象書類名】図面
【補正対象項目名】全図
【補正方法】変更
【補正の内容】
【図１】
2005296594.tif 000006
【図２】
2005296594.tif 000007
【図３】
2005296594.tif 000008
【図４】
2005296594.tif 000009
(57)【要約】【目的】ハンドル操作により振り子式Ｖ字形アームを作動させて、その振り子式Ｖ字形アームの両先端に取り付けた、ベッドの背部及び脚部の傾斜を行い、その事により、ベッドがソファーになるようにしたハンドル駆動式ソファーベッドである【構成】▲１▼振り子式Ｖ字形アーム  ▲２▼作動装置▲３▼駆動装置  ▲４▼操作用ハンドル▲５▼ベッド背部  ▲６▼ベッド脚部  ▲１０▼台座▲９▼本体  ▲１１▼、車輪６輪によって構成された用具である【選択図】図２
2005296599.tif 000002
【特許請求の範囲】
【請求項１】
（イ）屈折可能なベッドの背の部分と脚の部分２ケ所に振子式Ｖ字形アームの両端を取り付ける
（ロ）振子式Ｖ字形アームに作動装置を付ける
（ハ）作動装置に駆動装置を接続する
（ニ）駆動装置に操作用ハンドルを付ける
以上の如く構成された、ハンドル駆動式ソファーベッド
【発明の詳細な説明】
【発明の詳細な説明】
【産業上の利用分野】
【０００１】この発明は介護の分野における介助作業の合理化省力化を目的に発明されたものである．
【背景技術】
【０００２】要介護者の移動は必ずベッドよりの移載作業があったそのためのヘルパーの負担は大きく、腰痛を起こす大きな原因ともなっていた。
【発明が解決しようとする課題】
【０００３】これらの移載作業を無くし、ベッドが人間が乗ったまま椅子となることにより、人間の移載の必要が無く、作業の合理化・省力化及びヘルパーの腰痛を少なくする事が出来る
【課題解決の手段】
【０００４】本案の構成を説明すると本体に取り付けられた▲１▼振り子式Ｖ字形アームに▲２▼の作動装置を取り付けその作動装置を、ハンドル操作▲４▼で動く▲３▼の駆動装置で▲８▼矢印のごとく動かすことにより▲１▼の振り子式Ｖ字形アームは▲７▼矢印のごとく傾斜し▲５▼ベッド背部▲６▼ベッド脚部はそれぞれ矢印のように傾斜しベッドはソファーとなる．▲１１▼の車輪により車椅子としての使用も出来る
【発明の効果】
【０００５】ベッドで寝ている要介護者は無理無駄な又危険な移載をされる事無く、必要な場所へ移動を行う事が出来る事となり、要介護者、介助者共に安全で有効な用具となる．
【図面の簡単な説明】
【図１】側面図である
【図２】作動状態図である
【図３】正面図である
【図１】
2005296599.tif 000003
【図２】
2005296599.tif 000004
【図３】
2005296599.tif 000005
(57)【要約】〔課題〕親知らずを抜いた後の奥歯の虫歯等予防。【解決手段】専用の歯ブラシを使用する。【選択図】図１
2005296600.tif 000002
【特許請求の範囲】
【請求項１】
１  親知らずを抜いた後の奥歯側面専用歯ブラシ
２  先端部分が９０°位曲がっている歯ブラシ
【発明の詳細な説明】
【発明の詳細な説明】
歯は磨きにくい奥歯から抜けていく場合が多い特に奥歯側面は現在市販されている歯ブラシでは当たりにくくきれいにする事はむつかしい
〔発明の属する技術分野〕
この発明はこれまでむつかしかった奥歯の側面をきれいに磨く為の専用ハブラシである
〔従来の技術〕
これまでの物は曲がりがゼロかあっても少なかった
〔発明が解決しようとする課題〕
先端部分が直角に曲がっている為奥歯側面をかんたんにきれいに磨く事ができる
私自身が２０年使用し効果は充分にあると確信している
行きつけの歯医者も絶替しています。
〔発明の効果〕
歯の寿命を押ばす事ができる。
【図面の簡単な説明】
【図１】図のように歯ブラシ〔イ〕の先端が大きく曲がっている為奥歯側面〔ロ〕をきれいにする事が出来ます。
【図１】
2005296600.tif 000003
(57)【要約】【課題】ケーキの正確な等分割と安定した取り分け【解決手段】分度器（２）で正確な切り分け角度を確定し、２枚のブレード（１）でケーキを挟み込んで取り出すことによりきれいにケーキを皿の上へ移動させる。【選択図】図１
2005296596.tif 000002
【特許請求の範囲】
【請求項１】
（イ）目盛付きの金属製のブレード（１）２枚を開閉できるように接続する。
（ロ）開閉部の上部に小型分度器（２）、下部に小突起（３）を付ける。
（ハ）２枚のブレードに持ち手（４）、ストッパー（５）を付ける。
以上の如く構成された、ケーキの任意の角度での切断と取り分けを同時に行う器具。
【発明の詳細な説明】
【発明の詳細な説明】
この発明は２枚のブレードと小型分度器の組み合わせにより、ケーキの正確な切り分けと、きれいな取り分けを可能にするものである。
従来家庭でケーキを切り分ける場合、４等分、８等分などなら目安をつけ易いが、５等分など一目で切り方の見当がつかない場合は、正確な等分には熟練を要した。…▲１▼
また従来のケーキサーバーは底面のみでケーキを支えるため、ケーキを皿の上へ移動するにはバランスのとり方が難しく、配膳の際ケーキが倒れやすかった。…▲２▼
本発明は▲１▼、▲２▼の不都合を同時に解決するものである。以下それを説明すると
（イ）ブレードを１８０度開き、目盛を見てケーキの直径にあわせ、小突起でケーキの中心部に目印を付ける。
（ロ）目印に分度器の中心を合わせ、任意の角度にブレードを調整してケーキを押し切る。
（ハ）そのままブレードでケーキを挟み込んで皿の上に移動させる。ケーキの角度が大き過ぎる場合、挟むと切ったケーキが後ろに移動しようとするが、ストッパーがあるためそれを防いで挟み込むことができる。こうして左右２面でケーキを挟むことにより、崩れることなくケーキを皿の上まで運ぶ事が出来る。
【図面の簡単な説明】
【図１】      本発明の平面図
【図２】      本発明使用時の斜影図
【符号の説明】
１  目盛付きブレード    ２  小型分度器    ３  小突起
４  持ち手    ５  ストッパー
【図１】
2005296596.tif 000003
【図２】
2005296596.tif 000004
(57)【要約】【課題】  容易に被投薬動物の口内奥深くに挿入でき、投与した薬剤を確実に嚥下させることができるようにする。【解決手段】  グリップ部▲Ｇ▼と、先端に薬剤保持部▲Ｈ▼を設けた頚管部▲Ｎ▼と、グリップ部▲Ｇ▼の中のシリンダ部▲Ｃ▼と、その中のピストン部▲Ｐ▼と、ピストン部▲Ｐ▼に取り付けて頚管部▲Ｎ▼に挿通し、先端部を薬剤保持部▲Ｈ▼に臨ませた、薬剤を押し出すロッド▲Ｒ▼とからなり、かつ前記ピストン部▲Ｐ▼は、これをグリップ部▲Ｇ▼の外側から駆動するレバー▲Ｌ▼を備えている動物用経口投薬器。【選択図】  図２
2005296577.tif 000002
【特許請求の範囲】
【請求項１】
グリップ部▲Ｇ▼と、先端に薬剤保持部▲Ｈ▼を設けた頚管部▲Ｎ▼と、グリップ部▲Ｇ▼の中のシリンダ部▲Ｃ▼と、その中のピストン部▲Ｐ▼と、ピストン部▲Ｐ▼に取り付けて頚管部▲Ｎ▼に挿通し、先端部を薬剤保持部▲Ｈ▼に臨ませた、薬剤を押し出すロッド▲Ｒ▼とからなり、かつ前記ピストン部▲Ｐ▼は、これをグリップ▲Ｇ▼の外側から駆動するレバー▲Ｌ▼を備えている動物用経口投薬器。
【発明の詳細な説明】
【技術分野】
【０００１】  本発明は、動物用経口投薬器に関するものである。
【背景技術】
【０００２】  図４は、ペットとして飼育されている小動物（犬・猫・兎等）に疾病治療及び予防等の目的で経口投薬する場合に使用される従来の小動物用経口投薬器（以下、投薬器）を示す。その全体の形状は直線形で、先端部に薬剤保持▲Ｃ▼を設けた外管▲Ａ▼と、その中に挿入されている内筒▲Ｂ▼とより構成されている。前記内筒▲Ｂ▼は、薬剤保持部▲Ｃ▼に保持された薬剤をその軸方向に押し出す操作部となっている。（特許文献１参照）【０００３】  従来の投薬器は、上述の構成となっているので、例えば猫に投薬する場合、図５に示すように猫の頭上から頭部を握り押え、鼻先を真上に向けて開口させ、投薬器を正面から口内の奥深く挿入している。
【特許文献１】  実開昭５５−１５６７２１号公報
【０００４】  投薬器は薬剤を食餌とともに投与できない場合、あるいは用手投薬の不可能な場合に使用する。しかし従来の投薬器の場合、図５の猫の例のように頭上より頭部を握り押さえて、強制的に保定するので、拒否反応を起してしまう。さらにはこの様な棒状の投薬器を目視される正面から口内に挿入するため、不安感、違和感によりいらだち、前肢でこれを払いのけようとする。このため、うまく投薬できない。かかる事態は、経口投薬による継続的加療を行えないものとし、生死さえ分けるものである。
【発明の開示】
【発明が解決しようとする課題】
【０００５】  上述の問題点を考察すれば、投薬器を用いての経口投薬を容易、確実なものとするには、体躯や頭部の強制的保定を必要とせず、被投薬動物に投薬器具を目視されず、すばやく口内奥深く挿入できればよい。
そこで本発明は、強制的保定を必要とせず、投薬器を目視されない位置から口内奥深く挿入でき、すばやく投薬できる動物用経口投薬器を提供することを課題とする。
【課題を解決するための手段】
【０００６】  本発明の動物用経口投薬器は、上記課題を解決するためになされたもので、グリップ▲Ｇ▼と、先端に薬剤保持部▲Ｈ▼を設けた頚管部▲Ｎ▼と、グリップ部▲Ｇ▼の中のシリンダ部▲Ｃ▼と、その中のピストン部▲Ｐ▼と、ピストン部▲Ｐ▼に取り付けて頚管部▲Ｎ▼に挿通し、先端部を薬剤保持部▲Ｈ▼に臨ませた、薬剤を押し出すロッド▲Ｒ▼とからなり、かつ前記ピストン部▲Ｐ▼は、これをグリップ部▲Ｇ▼の外側から駆動するレバー▲Ｌ▼を備えているものである。
【発明の効果】
【０００７】  この発明の動物用経口投薬器によれば、強制的保定なくして、器具を目視されず、薬剤保持部をすばやく口内奥深くに挿入できる形状をもち、薬剤の嚥下効果を高める水も同時投与できるので、誰もが容易、確実に経口投薬が可能である。
【発明を実施するための最良の形態】
【０００８】  図１は本発明の実施例の側面図、図２はその断面図である。
【実施例１】
【０００９】  図２において、▲Ｇ▼はグリップ部、▲Ｎ▼はグリップ部▲Ｇ▼から伸びる頚管部であり、その先端が薬剤保持部▲Ｈ▼となっている。▲Ｃ▼はグリップ部▲Ｇ▼の中のシリンダ部▲Ｃ▼である。▲Ｒ▼はピストン部▲Ｐ▼に取り付けて頚管部▲Ｎ▼に挿通し、先端部を薬剤保持部▲Ｈ▼に臨ませた、薬剤を押し出すロッドである。▲Ｌ▼はグリップ部▲Ｇ▼の外側からピストン部▲Ｐ▼と、ロッド▲Ｒ▼を駆動するレバーである。【００１０】  次に本器の操作法を説明する。まず、投薬器の投薬準備を図２で説明すれば、薬剤保持部▲Ｈ▼を水中に入れ、レバー▲Ｌ▼を手前に引きシリンダー▲Ｃ▼部内と頚管部▲Ｎ▼内に貯水させる。レバー▲Ｌ▼の調節操作で水量は加減できる。貯水後、薬剤を薬剤保持部▲Ｈ▼内に先端より押し込み、投薬器の準備とする。【００１１】  ついで、猫に投薬する場合を例に説明すれば、図３に示すように猫を膝の上に置き、片方の手で猫の尾側から体を抱えるように首より下あごにかけて支えもつ。そして本投薬器をもう一方の手で後方より猫の口の側方から口内に挿入して、レバーを押し上げて薬剤と水を同時に投与する。【００１２】  上述のようにすれば、不安感や違和感も軽減され抵抗される事もなく、また、口の側方から投薬器を挿入するので容易に口内の奥深くに薬剤を投与することができる。さらに、薬剤投与と同時に水も投与できるので咽頭部が刺激され確実に薬剤を嚥下する。
【図面の簡単な説明】
【００１３】
【図１】  実施例の動物用経口投薬器の斜視図
【図２】  実施例の動物用経口投薬器の断面図
【図３】  実施例の動物用経口投薬器の使用状態を示す斜視図
【図４】  従来の動物用経口投薬器の側面図
【図５】  従来の動物用経口投薬器の使用状態を示す斜視図
【符号の説明】
Ｃ  シリンダ部
Ｇ  グリップ部
Ｈ  薬剤保持部
Ｌ  レバー
Ｎ  頚管部
Ｐ  ピストン部
Ｒ  ロッド
【図１】
2005296577.tif 000003
【図２】
2005296577.tif 000004
【図３】
2005296577.tif 000005
【図４】
2005296577.tif 000006
【図５】
2005296577.tif 000007
(57)【要約】      （修正有）【課題】  大気中の様々な物質（化学物質、花粉、粉塵等）を除去し、清浄な加湿空気を提供する。【解決手段】  第一洗浄室水槽部１及び第二洗浄室２及び循環ポンプ３とシャワー部４からなり、第一洗浄室水槽部１の途中に空気取り入れ口５を設ける。第一洗浄室１と第二洗浄室２の間に銅合金フィルター６を設置し、第二洗浄室２のシャワー部４で水を噴霧し水フィルター化させる。有害物質を銅合金フィルター６で捕集し第一洗浄室水槽部１に捕獲する。第一洗浄室水槽部１とシャワー部４の間に銀イオン溶出器７を設け、水に銀イオンを溶け込ませる。さらに水の浄化のためにフィルター８を装着し塵、埃、細菌類等を捕獲し、第一洗浄室水槽部１の水の浄化をする。第二洗浄室上部に排気ファン９を設置し清浄な空気を排気する。【選択図】  図１
2005296578.tif 000002
【特許請求の範囲】
【請求項１】
本装置は水の性質を利用し大気中の有害物質や浮遊する細菌類、胞子を捕獲、吸収させ清浄な空気を排出する除菌・殺菌加湿型空気洗浄器
【請求項２】
装置の中に銀イオン溶出器で銀イオンを水に溶け込ませ細菌類を殺菌しフィルターにより有害物質の捕集し清浄な加湿空気を排出する除菌・殺菌加湿型空気洗浄器。
【請求項３】
水のシャワー循環とファンの排気により加湿効果、冷却効果を行う除菌・殺菌加湿型空気洗浄器。
【発明の詳細な説明】
【発明の詳細な説明】
【技術分野】
【０００１】  この発明は、大気中の有害物質を水で溶解物質と捕集物質両方を捕獲し大気の浄化を行う。また銀イオン溶出器とフィルターの採用により殺菌効果、捕集効果を行う。また水のシャワー循環とファンの排気により加湿効果のある清浄な空気を排出する。
【背景技術】
【０００２】  超音波加湿器、乾式フィルター方式、静電気捕獲方式があった。
【発明が解決しようとする課題】
【０００３】  これは次のような欠点があった
（イ）超音波加湿方式では、水分発生量が多くさらに除菌・殺菌効果が少なく、装置内に細菌類の発生が考えられ、大気中に再飛散する可能性がある。
（ロ）乾式フィルター方式では、メンテナンス時、また、製品を止めたときに、再飛散があった。
（ハ）電気捕獲方式は多様な物質が静電気の影響で新たな二次物質を生成する可能性が考えられる。
本発明は、これらの欠点を除くためになされたものである。
【課題を解決するための手段】
【０００４】  第一洗浄室水槽部（１）及び第二洗浄室（２）及び循環ポンプ（３）とシャワー部（４）からなり、第一洗浄室水槽部（１）の途中に空気取り入れ口（５）を設ける。第一洗浄室（１）と第二洗浄室（２）の間に銅合金フィルター（６）を設置し、第二洗浄室（２）のシャワー部（４）で水を噴霧し水フィルター化させる。有害物質を銅合金フィルター（６）で捕集し第一洗浄室水槽部（１）に捕獲する。第一洗浄室水槽部（１）とシャワー部（４）の間に銀イオン溶出器（７）を設け、水に銀イオンを溶け込ませる。さらに水の浄化のためにフィルター（８）を装着し塵、埃、細菌類等を捕獲し、第一洗浄室水槽部（１）の水の浄化をする。第二洗浄室上部に排気ファン（９）を設置し清浄な空気を排気する。また水位を一定にするためフロート部（１０）を設ける。水の補給には給水用タンク（１１）を設置する。この方式により大気中の有害物質の捕集を行い、清浄な加湿空気を提供する。
【発明を実施するための最良の形態】
【０００５】  第一洗浄室水槽部（１）及び第二洗浄室（２）及び循環ポンプ（３）とシャワー部（４）からなり、第一洗浄室水槽部（１）の途中に空気取り入れ口（５）を設ける。第一洗浄室（１）と第二洗浄室（２）の間に銅合金フィルター（６）を設置し、第二洗浄室（２）のシャワー部（４）で水を噴霧し水フィルター化させる。有害物質を銅合金フィルター（６）で捕集し第一洗浄室水槽部（１）に捕獲する。第一洗浄室水槽部（１）とシャワー部（４）の間に銀イオン溶出器（７）を設け、水に銀イオンを溶け込ませる。さらに水の浄化のためにフィルター（８）を装着し塵、埃、細菌類等を捕獲し、第一洗浄室水槽部（１）の水の浄化をする。第二洗浄室上部に排気ファン（９）を設置し清浄な空気を排気する。また水位を一定にするためフロート部（１０）を設ける。水の補給には給水用タンク（１１）を設置する。この方式により大気中の有害物質の捕集を行い、清浄な加湿空気を排出する。
【実施例】
【０００６】  以下、本発明の実施例について説明する。
第一洗浄室水槽部（１）及び第二洗浄室（２）及び循環ポンプ（３）とシャワー部（４）からなり、第一洗浄室水槽部（１）の途中に空気取り入れ口（５）を設ける。第一洗浄室（１）と第二洗浄室（２）の間に銅合金フィルター（６）を設置し、第二洗浄室（２）のシャワー部（４）で水を噴霧し水フィルター化させる。有害物質を銅合金フィルター（６）で捕集し第一洗浄室水槽部（１）に捕獲する。第一洗浄室水槽部（１）とシャワー部（４）の間に銀イオン溶出器（７）を設け、水に銀イオンを溶け込ませる。さらに水の浄化のためにフィルター（８）を装着し塵、埃、細菌類等を捕獲し、第一洗浄室水槽部（１）の水の浄化をする。第二洗浄室上部に排気ファン（９）を設置し清浄な空気を排気する。また水位を一定にするためフロート部（１０）を設ける。水の補給には給水用タンク（１１）を設置する。この方式により大気中の有害物質の捕集を行い、清浄な空気を提供する。
【発明の効果】
【０００７】  本装置は水の効果と銀イオンの除菌・殺菌効果を利用し大気中の様々な有害物質や細菌類を捕獲し殺菌する。さらに花粉、粉塵等をも捕獲できる。これにより清浄な空気にもどし、大気中に含まれるさまざまな物質や細菌類による病原を減少させる事が出来、家庭、ホテル、病院（院内感染予防機器）等さまざまな場所に提供する。
【図面の簡単な説明】
【図１】本発明の図面である。
【符号の説明】
１．  第一洗浄室水槽部
２．  第二洗浄室
３．  循環ポンプ
４．  シャワー部
５．  空気取り入れ口
６．  銅合金フィルター
７．  銀イオン溶出器
８．  フィルター
９．  排気ファン
１０．フロート部
１１．給水用タンク
【図１】
2005296578.tif 000003
(57)【要約】【課題】本発明は、要介護人をベットから車に乗せ、トイレの便器上に連れて行き、そのまま大・小の用を足すことのできる車である。通常は、二人がかりで抱かかえていたが、狭いトイレの中で大変な労力を使うため、介護人一人でも便器上まで連れて行ける車を提供する。【手段】要介護人が座る便座（１）に固定するパイプ等（２）を接続するジョイント（３）自在車（４）を組み合わせによる。【選択図】図１
2005296573.tif 000002
【特許請求の範囲】
【請求項１】
要介護者の座る便座（１）  を固定するパイプ等（２）と、接続するジョイント等（３）  自在車（４）の組み合わせによる車に、要介護者を乗せ、トイレの便器上に移動し、そのまま大・小の用を足すことができる車。
【発明の詳細な説明】
【発明の詳細な説明】
【技術分野】
【０００１】  この発明は、介護人を必要とす者がトイレに行く時、ベットから乗せてもらい、トイレの便器上に移動し、そのまま大・小の用を足す事のできる車に関するものである。
【背景技術】
【０００２】  従来、介護人を必要とする者が大・小便の用を足す時は、二人がかりで抱きかかえてトイレに連れて行ってもらうか、ベット上で、オマルを使うか、ベットから抱いて簡易トイレの上に座らせてもらい、大・小の用を足していた。
【発明が解決しようとする課題】
【０００３】  介護人を必要とする人たちの大、小便は、オムツや、オマル、簡易トイレ等で、室内で用をたすので悪臭に悩まされ、又、その後の汚物処理が大変である。本発明は、以上の問題点を解決し、介護者の仕事の負担を、軽減したものである。
【課題を解決する手段】
【０００４】  要介護者の座る便座（１）  を乗せるパイプ等（２）  と接続するジョイント等（３）に自在車（４）の組み合わせによる。本発明は、以上の構成からなるトイレに行って大・小の用をたすための車である。
【発明を実施するための最良の形態】
【０００５】  以下、本発明の実施形態を説明する。（イ）要介護人を乗せる便座（１）にパイプ等（２）と、ジョイント等（３）に自在車（４）を組み合わせた車で、便器上に便座が乗るようにした。（ロ）便座の高低は、調整できる。本発明は以上の構成よりなる。本発明を使用する場合は、要介護人をベット上で下半身を脱がせ、布で覆いベットからずらすようにして車に乗せ、トイレに向かい便器を小用にして後退して便器上に便座が乗ったのを確認する。
【発明の効果】
【０００６】  本発明を使用することにより要介護者を一人で車に乗せ、トイレの便器上に運び、そのまま大、小の用を足させることができる。
【図面の簡単な説明】
【図１】本発明の横面図
【図２】本発明の要部拡大の正面図
【図３】本発明の要部拡大の上面図
【符号の説明】
（１）便座  （２）ジョイント  （３）パイプ  （４）自在車
【図１】
2005296573.tif 000003
【図２】
2005296573.tif 000004
【図３】
2005296573.tif 000005
(57)【要約】【課題】水に強く破れずらい、制作の容易な紙の代替素材を用いて耐久性の高い実用大型ペーパークラフトを提供するものである。【解決手段】本発明は、上記目的を達成するために紙の代替素材として、熱可塑性樹脂と白色短繊維を熱圧着した薄い高密度短繊維ボードにペーパークラフトの図案をプリントし、光触媒加工及びイルミネーション加工することで課題を解決した。【選択図】なし【特許請求の範囲】
【請求項１】
熱可塑性樹脂で白色短繊維を熱圧縮加工し、平滑な表面にプリントすることを特徴とする高密度短繊維ボード。
【請求項２】
請求項１の高密度短繊維ボードを用いて加工されたペーパークラフト
【請求項３】
請求項１の高密度短繊維ボードを用いて加工されたペーパークラフトに光触媒加工したもの。
【請求項４】
請求項１の高密度短繊維ボードを用いて加工されたペーパークラフトにＬＥＤ及び麦球などでイルミネーション化したもの。
【発明の詳細な説明】
【技術分野】
【０００１】この発明は高密度短繊維ボードを用いたペーパークラフトに関する。
【背景技術】
【０００２】従来、ペーパークラフトは紙を使用しているために制作は容易でも、水に弱く破れやすい欠点があった。このため、大型化が困難であり、長期保存にはケースを必要とし、実用品用途に応用されることがなかった。また、大型ディスプレイの形成品にはＦＲＰが知られているが重量が重く、軽量で吊るす用途に使えるものが望まれていた。
【発明の開示】
【発明が解決しようとする課題】
【０００３】水に強く破れずらい、制作の容易な紙の代替素材を用いて耐久性の高い軽量の実用大型ペーパークラフトを提供するものである。
【課題を解決するための手段】
【０００４】本発明は、上記目的を達成するために紙の代替素材として、熱可塑性樹脂と白色短繊維を熱圧着した薄い高密度短繊維ボードにペーパークラフトの図案をプリントし、光触媒加工及びイルミネーション加工することで課題を解決した。
【発明の効果】
【０００５】本発明は、上記の手段を講じたので、これを使用してペーパークラフトを組み立てれば、切断・折り曲げ・穴あけが容易で、耐水性を持つ高強度・軽量の大型ディスプレイを形成でき、イルミネーション化による集客効果や光触媒の作用による空気清浄の効果を有する。
【発明を実施するための最良の形態】
【０００６】本発明を実施するにあたり、既存のペーパークラフトの売り場にて大型クラフトとして発売するとともに、ディスプレイ用として業者に高密度短繊維ボードの卸し売りで普及を図る。
【実施例】以下、本発明の実施例について説明する。【０００７】実施にあたり、ペーパークラフトを大型化するため、切断・折り曲げが容易で、耐水性があり、割れ・破れに強い平面素材の条件を満たす材料を試した結果、ポリエステル短繊維を使用した高密度短繊維ボードを１ミリほどに圧縮したものが、プラスチックボードよりも耐久性がありプリント加工も容易であり硬度と弾力性のバランスが最適であった。また、吸水性があるため、光触媒液による加工などに適していた。さらに、軽量であるため大型化しても安全である。【０００８】実施にあたり、図案を高密度短繊維ボードにプリントするため、短繊維の素材に白色ポリエステルを使用し、分散染料インクでペーパークラフトの図案をプリントした転写紙を熱圧着し、インクを写し取る方式を採用した。その後、図案の実線に沿ってハサミ・カッターを使用して切り抜き、接着や差し込みなどにより立体を完成させた。【０００９】もうひとつの実施例として、高密度短繊維ボードにスカーフなどの繊維を貼り付けたのち、ペーパークラフトの図案の実線に沿って切り抜き、組み立てることで様々なバリエーションを作成できる。【００１０】屋外でのディスプレイ仕様として、図案を屋外耐用紙及びフィルムにプリントしたものを高密度短繊維ボードへ貼り付け、組み立てることで屋外での使用に耐えることができる。さらに、穴開け加工を施して、ＬＥＤや麦球を差込んだのち組み立てることで、イルミネーション化させることが容易であった。
【産業上の利用可能性】
【００１１】この発明は高密度短繊維ボードをペーパークラフトの素材に用いることで、高強度で軽量の大型ディスプレイ化に成功しているので、屋内外の展示、特に天井やテント看板などの重量物の展示に適さない場所に利用可能である。また、屋内に置けば光触媒作用により、室内の空気浄化機能付インテリアになる。
(57)【要約】【課題】  持ち手両端のフックへ手荷物をひっかけることで指への負担を軽減し、揺れても持ち手は常に水平に保つ事が出来る。なおかつ瞬時に脱着が可能な手荷物吊り下げ運搬具を提供する。【解決手段】  クッション部材（１）の内面に支持具（２）を設け、そこに伸縮部材（４）を通す。伸縮部材（４）の両端にフック（３）を取り付けたことを特徴とする。【選択図】  図２
2005296572.tif 000002
【特許請求の範囲】
【請求項１】
支持具の内部に伸縮部材を通し、同伸縮部材の両端にフックを取り付け、常時は同伸縮部材の伸縮力によって同両フックが支持具の前後の開口部に当接して保持され、同両フックに手荷物を吊り下げた場合には同手荷物の重量によって同両フックが前記伸縮部材の伸縮力に抗して下垂されることを特徴とする手荷物吊り下げ運搬具。
【請求項２】
前記支持具の外周にはクッション部材を配設したことを特徴とする請求項１に記載の手荷物吊り下げ運搬具。
【請求項３】
前記伸縮部材がゴムひもである請求項１に記載の手荷物吊り下げ運搬具。
【請求項４】
前記伸縮部材がスプリングである請求項１に記載の手荷物吊り下げ運搬具。
【発明の詳細な説明】
【技術分野】
【０００１】  この発明は持ち手の両端にフックを取り付けた、手荷物の吊り下げ運搬に関するものである。
【背景技術】
【０００２】  買い物袋などの手提げ袋は直接手で持つと重さで手に食い込むという不快感があった。それを解消する為、従来持ち手とフック部分の固定された吊り具はあった。
【発明の開示】
【発明が解決しようとする課題】
【０００３】  これは次のような問題があった。
（イ）  持ち手に弾力性が無い為長時間持つと手に負担がかかる。
（ロ）  フック部分と持ち手が固定されている為、袋の脱着に手間がかかる。
（ハ）  フック部分と持ち手が固定されている為、荷物が揺れた時に持ち手が水平に保てない。
本発明は、これらの欠点を除くためになされたものである。
【課題を解決するための手段】
【０００４】  支持具の内部に伸縮部材を通し、同伸縮部材の両端にフックを取り付け、常時は同伸縮部材の伸縮力によって同両フックが支持具の前後の開口部に当接して保持され、同両フックに手荷物を吊り下げた場合には同手荷物の重量によって同両フックが前記伸縮部材の伸縮力に抗して下垂される。本発明は以上の構成よりなる手荷物吊り下げ運搬具である。
【発明の効果】
【０００５】  発明は以上のような構造で、手荷物が手に食い込む事が無く、負荷がかかるとフック部分だけが下へ下がる仕組みになっているので、荷を降ろせば自然にフックが外れ、瞬時に脱着が出来る。
なおかつ荷物が揺れても持ち手は常に水平に保たれ、フック部分のみ荷物に追従して外れない。
【発明を実施するための最良の形態】
【０００６】  以下、本来の実施の形態について説明する。
スポンジ（１）の内面に円筒体（２）を設け、そこにゴムひも（４）を通す。そのゴムひも（４）の両端にフック（３）を取り付ける。
荷物を吊り下げてない時はフックはゴムひもに引っ張られて円筒体の前後の口付近に保持されて垂れない。手荷物を吊るすとフックがその重さで下を向く。手荷物を外すとフックがまたゴムひもの引っ張り力で戻る。
なお本発明のクッション部材には柔軟性を持つソフトな素材であればスポンジでもウレタンでも何でもよい。支持具はフックを持ち手の両端に保持出来る素材であれは塩ビ管でもステンレスのフレームでも何でもよい。伸縮部材はゴムひも、もしくは荷重に耐えられるスプリング等で両端のフックを中央にひきつける素材であれば何でもよい。
【図面の簡単な説明】
【０００７】
【図１】  本発明の実施の形態の斜視図である。
【図２】  本発明の実施の形態の斜視図である。
【図３】  本発明の実施の形態の断面図である。
【符号の説明】
【０００８】      １  クッション部材としてのスポンジ。
２  支持具としての円筒体。
３  フック
４  伸縮部材としてのゴムひも。
【図１】
2005296572.tif 000003
【図２】
2005296572.tif 000004
【図３】
2005296572.tif 000005
(57)【要約】【課題】  本発明は、便器のふちの内側を洗浄しやすいように、洗浄に使用するブラシの部分をＶ字型に形成した便器、便座の洗浄用具を提供する。【解決手段】  柄の先端に逆ハの字状に広げてなる２本の支軸の先端に、中央をＶ字状にしたブラシ部の両端部を一体化して接続したことを特徴とする。【選択図】  図１
2005296571.tif 000002
【特許請求の範囲】
【請求項１】
柄の先端に逆ハの字状に広げてなる２本の支軸の先端に、中央をＶ字状にしたブラシ部の両端部を一体化して接続したことを特徴とする便器、便座の洗浄用具。
【発明の詳細な説明】
【技術分野】
【０００１】  本発明は、洗浄に使用するブラシの部分をＶ字型に形成した便器、便座の洗浄用具に関するものである。
【背景技術】
【０００２】  従来、便器の洗浄用ブラシとして、通常は柄の先端に棒状や楕円形状のブラシを付けたものが使用されている。
【発明の開示】
【発明が解決しようとする課題】
【０００３】  その為に、次のような問題点があった。
（イ）用便後は便器のふちの内側の面にある水洗口から洗浄するための水を流すようになっているが、この水洗口が水あかや、さびで汚れやすく落としにくかった。
（ロ）男性は、便座を持ち上げて用をたす為に、小水で便器の前面のふちを汚すことが多いが、その汚れを落としやすいブラシはなかった。
（ハ）便座の裏と表のつなぎ目の溝の汚れも通常のブラシでは落としにくいものであった。
本発明は、これらの問題点を解決するためになされたものである。
【課題を解決するための手段】つなぎ目【０００４】  握り柄の先端に、逆ハの字状に広げてなる２本の支軸を設け、中央をＶ字状にしたブラシ部の両端部を、各支軸の各先端に一体化して接続する。
以上よりなる便器、便座の洗浄具。
本発明を使用するときは、ブラシ部のＶ字の中央部を利用することで便座や便器の角部を能率的に洗浄できる。
【発明の効果】
【０００５】  便器の汚れの原因となる便座の裏側に設けられている水洗の吐出口などの細かい部分や、便座や便器の内側縁など通常は洗浄が困難な部分を、簡単に能率的に清掃できる。
【発明を実施するための最良の形態】
【０００６】  以下本発明の実施の形態について説明する。
（イ）棒状の柄（５）の先端に２本の支軸（４）（４）を逆ハの字状に設ける。
（ロ）捻り縒りした金属線にナイロン毛などを植毛してなるブラシ部（１）の中央部（２）をＶ字状に凹ませ、ブラシ部（１）の両端部（３）を支軸（４）（４）の先端に一体化して接続する。
本発明は以上の構成よりなり、これを使用するときは、図３、図４に示すように、便器（６）や便座（７）の内側縁をブラシ部の中央部（２）のＶ字状部分で挟むように清掃することができる。
また、両端部（３）の植毛部分で、便器（６）の縁の裏側に設けられている水洗の吐出口などの細かい部分を清掃することができる。
【図面の簡単な説明】
【０００７】
【図１】本発明の正面図
【図２】本発明の斜視図
【図３】本発明の使用状態を示す斜視図
【図４】本発明の使用状態を示す平面図
【符号の説明】
【０００８】１  ブラシ部
２  中央部
３  端部
４  支軸
５  柄
６  便器
７  便座
【図１】
2005296571.tif 000003
【図２】
2005296571.tif 000004
【図３】
2005296571.tif 000005
【図４】
2005296571.tif 000006
(57)【要約】【課題】消火器や懐中電灯・携帯ラジオなどの家庭用第一次防災用品の常備を、常設収納箱の設置で一括管理を実現し、なおかつ常設収納箱の設置場所を日常生活に支障のないよう省スペース化する防災用品の常設収納箱を提供する。【解決手段】防災用品の常備収納を、従来利用されていない間仕切り壁面に、埋め込み型収納箱として設置することを特徴とする埋め込み型常設防災用品収納箱。【選択図】図１
2005296579.tif 000002
【特許請求の範囲】
【請求項１】
従来利用されることの無い住宅の間仕切壁内部の空間を利用して、壁面に常設埋め込み型収納箱として、防災用品の常備収納を目的とする埋め込み型常設防災用品収納箱であって、前記間仕切壁の内部に収めることの出来る深さを有した方形状の収納箱と、この四辺縁を化粧するための化粧枠からなる埋め込み型防災用品収納箱。
【請求項２】
束柱および中鴨居・化粧下部台・はめ込み化粧腰板を設けてなる、従来型の土壁（こまい真壁工法）住宅に於ける、請求項１記載の埋め込み型防災用品収納箱。
【発明の詳細な説明】
【技術分野】
【０００１】  本発明は、従来利用されていない住宅の間仕切壁内部の空間を利用して、壁面に常設埋め込み型収納箱として、消火器・懐中電灯・ラジオ・予備乾電池などの第一次防災用品を常備収納することを目的とする埋め込み型常設防災用品収納箱に関するものである。
【背景技術】
【０００２】  従来、住宅用の埋め込み型常設防災品収納箱は特に無かった。
【発明の開示】
【発明が解決しようとする課題】
【０００３】  そのために、次のような問題点があった。
（イ）消火器格納箱などがあるが、外形が大きく邪魔になり一般住宅では設置する場所に大変困り、いつの間にか押入れや倉庫に入り、非常時に間に合わないことがある。
（ロ）一般的に、小型消火器を柱などに吊り下げるが、下部位置では邪魔になりかなり上部に吊り下げると、見た目にも落ちてこないか心配であり、地震時には消火器が落ちてケガをする危険さえある。
（ハ）非常用懐中電灯・ラジオ・予備乾電池などは、最初は保管場所を決めているがいつの間にか無くなり、必要なときに間に合わない。
本発明は、これらの問題点を解決するためになされたものである。
【課題を解決するための手段】
【０００４】  従来利用されていない住宅の間仕切壁内部の空間を利用して、壁面に常設埋め込み型収納箱として防災用品を常備収納し、一括管理を実現することを特徴とする埋め込み型常設防災用品収納箱である。
【発明の効果】
【０００５】  従来利用されていない住宅の間仕切壁内部の空間を利用し、防災用品の常設保管場所が確保出来ることになり、防災用品の維持・管理・非常時の使用にきわめて有効であり、収納に必要なスペースの省スペース化することが出来る、また廊下・階段室などのよくわかる場所を常設位置とすることから、家族全員の防災意識の向上に役立つ。
【発明を実施するための最良の形態】
【０００６】  以下、本発明の実施の形態について説明する。
（イ）住宅の廊下や階段室の間仕切壁で耐力壁（筋交いなどで補強し、耐力壁の計算の対象となっている壁）以外の場所を設置場所として選定する。
（ロ）収納ＢＯＸ固定用補助材（３）を取り付ける。
（ハ）壁面Ａ（４），壁面Ｂ（５）を取り付け、壁面の仕上げを行う。
（二）収納ＢＯＸ（１）を取り付ける。
（ホ）化粧枠（２）を取り付ける。
（ヘ）防災用品を収納し、必要に応じて転倒防止対策をする。
本発明は以上のような構成でなっている。
既設壁に設置する場合は
（イ）筋交い・間柱の無い部分を十分に調査・選択する。
（ロ）壁面Ａ（４）に収納ＢＯＸ（１）の寸法に合わせた開口を設ける。
（ハ）収納ＢＯＸ固定用補助材（３）を取り付ける。
（ニ）さらに収納ＢＯＸ（１）を取り付ける。
（ホ）以降の手順は、新設の場合と同様である。
なお、収納ＢＯＸ・化粧枠の材質は望ましくは鋼製であるが、アルミ製・ステンレス製・木製またはプラスチック製等であっても差し支えない、プラスチック等の成型タイプの材質を採用する場合、収納ＢＯＸ・化粧枠が一体の物でも良い。
また、予備乾電池などを収納するための棚を設置すると管理に有効であり、さらに蓄光型・反射型の塗装やテープを貼り付けると停電時の視認に有効である。
【発明を実施するための他の形態】
【０００７】  以下、本発明の従来型の土壁（こまい真壁工法）住宅に於ける実施の形態について説明する。
（イ）設置位置を慎重に検討・決定する。
（ロ）束柱（７）および中鴨居（８）・化粧下部台（１１）を収納ＢＯＸ（１）のサイズに合わせて取り付けする。
この際、事前に束柱（７）・中鴨居（８）・化粧下部台（１１）にはめ込み化粧腰板用（９）の取り付け用の溝を設ける、一方が柱の場合には、この柱にも同様の溝を設ける、この溝の巾ははめ込み化粧腰板（９）の厚みに合わせ、この溝の位置は土壁の仕上げ面に合わせる、溝の深さは上部中鴨居側を下部巾木の溝の２倍の深さとし、化粧腰板の取り付け時には上部中鴨居の溝に差し込んだのち下の化粧下部台の溝に落とし込むことが出来るようにする。
（ハ）小舞い（１０）組の後、土壁塗り・壁仕上げ塗り（１２）を行い壁面の仕上げを行う。
（二）はめ込み化粧腰板（９）を前出（ロ）の要領で取り付ける。この際化粧腰板は、２〜３分割とし、継ぎ手部分は相しゃくり等の従来方法で化粧腰板の目違いの発生しないように加工すると良い、化粧腰板取り付け後裏面にて接着剤や小釘を使用して化粧腰板を固定する。
（ホ）収納ＢＯＸ（１）を取り付ける。
（ヘ）化粧枠（２）を取り付ける。
（ト）防災用品を収納、必要に応じて転倒防止対策をする。
本発明の他の実施形態は以上のような構成で成りたっている。
【図面の簡単な説明】
【０００７】
【図１】本発明の斜視図
【図２】本発明の分解斜視図
【図３】本発明の水平断面詳細図
【図４】本発明の他の実施例の斜視図
【図５】本発明の他の実施例の垂直断面図
【符号の説明】
【０００８】  １  収納ＢＯＸ
２  化粧枠
３  収納ＢＯＸ固定用補助材
４  壁面Ａ
５  壁面Ｂ
６  収納非常用品
７  束柱
８  中鴨居
９  はめ込み化粧腰板
１０  小舞い
１１  化粧下部台
１２  土壁
１３  雑巾摺り
１４  床板
１５  柱
【図１】
2005296579.tif 000003
【図２】
2005296579.tif 000004
【図３】
2005296579.tif 000005
【図４】
2005296579.tif 000006
【図５】
2005296579.tif 000007
(57)【要約】【課題】  従来のブラケットはアーチワイヤー結紮時にスロットとアーチワイヤーが密着する為、摩擦抵抗が大きく歯の移動がスムーズではなかった。【解決手段】  ブラケットスロットの近遠心両端部に小さなウイングを設け、これを介してアーチワイヤーをブラケットに結紮することにより、アーチワイヤーとスロットの摩擦を低減することを特徴とする。【選択図】  図１
2005296581.tif 000002
【特許請求の範囲】
【請求項１】
ブラケットスロットの近遠心両端部に小さなウイングを設けアーチワイヤー結紮に時における、アーチワイヤーとスロットの密着を防ぎアーチワイヤーとブラケットの摩擦を低減したブラケット
【発明の詳細な説明】
【技術分野】
【０００１】この発明はブラケットスロットの近遠心両端部に小さなウイングを設けたブラケットに関するものである。
【背景技術】
【０００２】従来、上下にウイングを設けたブラケットがあった。
【発明の開示】
【発明が解決しようとする課題】
【０００３】これには次のような欠点があった▲１▼アーチワイヤー結紮時にアーチワイヤーとスロットが密着するため摩擦抵抗が大きく、歯の移動がスムーズではなかった。本発明はこの欠点を除くため為されたものである。
【課題を解決するための手段】
【０００４】ブラケットスロットの近遠心両端部に小さなウイングを設ける。
【発明の効果】
【０００５】発明は以上のような構造で、これを使用するときはこの小さなウイングを介してアーチワイヤーをブラケットに結紮すると、アーチワイヤーとスロットが密着することなく結紮することができる。また、小さなウイングの代わりにフック状のものを設けてもよい。
【発明を実施するための最良の形態】
【０００６】以上本案の実施の形態について説明する。ブラケットスロットの近遠心両端に小さなウイングを設ける。
【図面の簡単な説明】
【０００７】
【図１】本発明の斜視図である。
【図２】本発明の正面図である。
【図３】本発明の実施例を示す斜視図である。
【符号の説明】
【０００８】１  スロットウイング
２  ウイング
３  スロット
４  ブラケット
５  アーチワイヤー
６  結紮線
【図１】
2005296581.tif 000003
【図２】
2005296581.tif 000004
【図３】
2005296581.tif 000005
(57)【要約】【課題】物品の形状を身体の形に合わせてカットすることにより違和感を最小限に抑えることができるため、生理時、産後の悪露時、また、おりものや尿漏れが気になる日でも快適に過ごすことを可能にする、また、どんな下着にでも対応できる生理用ナプキン、おりもの専用シート、及び、軽度尿失禁製品を提供する。【解決手段】物品の形状をほぼ長方形から後ろ約半分をやや三角形にカットすることにより、身体の形にフィットさせることを特徴とする生理用ナプキン、おりもの専用シート、及び、軽度尿失禁製品。【選択図】図１
2005296590.tif 000002
【特許請求の範囲】
【請求項１】
物品の形状を女性の身体の形に合わせてカットした生理用ナプキン、おりもの専用シート、及び、軽度尿失禁製品。
【発明の詳細な説明】
【０００１】    本発明は、女性が生理時、産後の悪露時、また、おりものや尿漏れが気になる時に使用する生理用ナプキン、おりもの専用シート、及び、軽度尿失禁製品の形状に関するものである。
【背景技術】
【０００２】    従来、物品の形状はほぼ長方形であった。
【発明の開示】
【発明が解決しようとする課題】
【０００３】    これはつぎのような欠点があった。
（イ）従来の形状の生理用ナプキン、おりもの専用シート、及び軽度尿失禁製品は、その形が身体の形状にあっていないので、付けていて違和感を覚える。
（ロ）どのような形の下着にも対応できるわけではない。
本発明は、以上のような欠点をなくすためになされたものである。
【課題を解決するための手段】
【０００４】    物品の形状を身体の形に合わせるため、ほぼ長方形から後ろ約半分をやや三角形にカットする。本発明は、以上の形状よりなる生理用ナプキン、おりもの専用シート、及び、軽度尿失禁製品である。
【発明の効果】
【０００５】    生理用ナプキン、おりもの専用シート、及び、軽度尿失禁製品が身体の形にあっているので、違和感を最小限にし、生理時、産後の悪露時、また、おりものや尿漏れが気になる日をより快適に過ごすことを可能にする。さらに，ほぼ長方形から後ろ約半分をやや三角形にカットすることにより、どのような形の下着にも対応するため、日焼けなどの目的で水着の着用も可能である。
【発明を実施するための最良の形態】
【０００６】    以下、本発明の実施の形態について説明する。
使用方法は従来のものと同じであるが、生理用ナプキン、おりもの専用シート、及び、軽度尿失禁製品の後ろ約半分をやや三角にカットすることにより、身体の形にぴったり合わせる。
本発明は、以上のような構造でこれを使用するときは、形状をより身体の形にフィットさせることにより、従来の製品に比べて違和感を軽減させることができる。さらに、どのような下着の形にも対応できる。
【図面の簡単な説明】
【０００７】
【図１】  本発明の正面図である。
【符号の説明】
【０００８】１  生理用ナプキン、おりもの専用シート、及び、軽度尿失禁製品
【図１】
2005296590.tif 000003